(57)【要約】【課題】ＭＩＭＯ信号処理方法、装置およびシステムを提供する。【解決手段】本発明に係る方法は、少なくとも１つのコードブックを含むコードブック集合を予め設定し、処理対象の信号に対して空間特性に基づくコーディングを行って、前記コードブック集合から前記処理対象の信号の受信側で選択されたコードブックを用いて、プリコーディング処理を行うことを含む。本発明によれば、空間特性に基づくコーディングとコードブックに基づくプリコーディングとを組合せて、処理対象の信号に対して二重処理を行うことで、各種の移動速度の環境でもＭＩＭＯシステム性能を保証することができる。【選択図】図２
2010158021.tif 000002
【特許請求の範囲】
【請求項１】
ＭＩＭＯ信号処理方法であって、
少なくとも１つのコードブックを含むコードブック集合を予め設定し、
処理対象の信号に対して空間特性に基づくコーディングを行って、前記コードブック集合から前記処理対象の信号の受信側で選択されたコードブックを用いて、プリコーディング処理を行う、
ことを含むことを特徴とする方法。
【請求項２】
前記少なくとも１つのコードブックを含むコードブック集合を予め設定することは、
予め設定されたコードブックフィードバックビット数（１以上の整数）に基づいて、前記コードブック集合を設定する、
ことを含むことを特徴とする請求項１に記載の方法。
【請求項３】
前記処理対象の信号に対して空間特性に基づくコーディングを行う前に、
前記受信側は、自身の移動速度に対して測定を行って、測定結果に基づいてコーディングモードを決定し、決定されたコーディングモード情報を送信側に送信し、
送信側は、受信されたコーディングモードがコードブックに基づくプリコーディングであるか、それとも空間特性に基づくコーディングおよびコードブックに基づくプリコーディングであるかを判断し、コードブックに基づくプリコーディングである場合、前記コードブック集合から前記処理対象の信号の受信側で選択されたコードブックを用いて、プリコーディング処理を行うことを直接に実行し、空間特性に基づくコーディングおよびコードブックに基づくプリコーディングである場合、前記処理対象の信号に対して空間特性に基づくコーディングを行って、前記コードブック集合から前記処理対象の信号の受信側で選択されたコードブックを用いて、プリコーディング処理を行うことを実行する、
ことをさらに含むことを特徴とする請求項１に記載の方法。
【請求項４】
前記処理対象の信号の受信側の移動速度状態とコーディングモードとの対応関係を予め設定することをさらに含み、
前記測定結果に基づいてコーディングモードを決定することは、前記測定結果に基づいて前記受信側の移動速度状態を決定し、前記対応関係から、決定された移動速度状態に対応するコーディングモードを検索することを含む、
ことを特徴とする請求項３に記載の方法。
【請求項５】
前記処理対象の信号の受信側の移動速度状態とコーディングモードとの対応関係は、
前記受信側が低速移動状態にあることが、コードブックに基づくプリコーディングに対応し、前記受信側が中速移動状態または高速移動状態にあることが、空間特性に基づくコーディングおよびコードブックに基づくプリコーディングに対応する、
ことを含むことを特徴とする請求項４に記載の方法。
【請求項６】
前記プリコーディングが前記空間特性に基づくコーディングの後に実行される場合、前記コードブック集合から前記処理対象の信号の受信側で選択されたコードブックを用いて、プリコーディング処理を行うことは、
前記コードブック集合から受信側で選択されたコードブックと、空間特性に基づくコーディング結果とを乗算する、
ことを含むことを特徴とする請求項１または３に記載の方法。
【請求項７】
前記コードブック集合から前記処理対象の信号の受信側で選択されたコードブックを用いて、プリコーディング処理を行うことを直接に実行することは、
前記コードブック集合から受信側で選択されたコードブックと前記処理対象の信号とを乗算する、
ことを含むことを特徴とする請求項３に記載の方法。
【請求項８】
前記コードブック集合から前記処理対象の信号の受信側で選択されたコードブックを用いて、プリコーディング処理を行う前に、
最大の最小固有値、最大の最小信号対雑音比、または最大チャネル容量の原則に従って、チャネル状態測定結果に基づいて、前記コードブック集合から前記受信側で選択されたコードブックに対応するコードブックフィードバック情報を受信し、前記コードブックフィードバック情報に対応するコードブックを決定する、
ことをさらに含むことを特徴とする請求項１に記載の方法。
【請求項９】
前記空間特性に基づくコーディングは、時空間符号に基づくコーディング、または空間周波数符号に基づくコーディング、または時空間周波数符号に基づくコーディングであることを特徴とする請求項１に記載の方法。
【請求項１０】
ＭＩＭＯ信号処理装置であって、
処理対象の信号に対して空間特性に基づくコーディングを行う空間コーディングモジュールと、
予め設定されたコードブック集合から前記処理対象の信号の受信側で選択されたコードブックを用いて、空間特性に基づくコーディング結果に対してプリコーディング処理を行うプリコーディングモジュールと、
を含むことを特徴とする装置。
【請求項１１】
予め設定されたコードブックフィードバックビット数（１以上の整数）に基づいて設定されたコードブック集合を記憶する記憶モジュールと、
受信側からのコードブックフィードバック情報を受信し、受信されたコードブックフィードバック情報をプリコーディングモジュールに送信する通信モジュールと、
をさらに含み、
前記プリコーディングモジュールは、さらに、前記通信モジュールからのコードブックフィードバック情報を受信し、前記記憶モジュールに記憶されているコードブック集合から、当該コードブックフィードバック情報に対応するコードブックを読み取る、
ことを特徴とする請求項１０に記載の装置。
【請求項１２】
ＭＩＭＯ信号処理装置であって、
処理対象の信号の受信側からのコーディングモード情報を受信し、コーディングモードを決定し、決定されたコーディングモードがコードブックに基づくプリコーディングである場合、前記処理対象の信号に対してプリコーディングを行うことをプリコーディングモジュールに指示し、決定されたコーディングモードが空間特性に基づくコーディングおよびコードブックに基づくプリコーディングである場合、空間特性に基づくコーディングの実行を開始することを空間コーディングモジュールに指示するコーディングモード識別モジュールと、
コーディングモード識別モジュールの指示で、処理対象の信号に対して空間特性に基づくコーディングを行う空間コーディングモジュールと、
予め設定されたコードブック集合から前記処理対象の信号の受信側で選択されたコードブックを用いて、空間コーディング結果に対してプリコーディングを行い、または、コーディングモード識別モジュールの指示で、予め設定されたコードブック集合から前記処理対象の信号の受信側で選択されたコードブックを用いて、前記処理対象の信号に対してプリコーディングを行うプリコーディングモジュールと、
を含むことを特徴とする装置。
【請求項１３】
予め設定されたコードブックフィードバックビット数（１以上の整数）に基づいて設定されたコードブック集合を記憶する記憶モジュールと、
処理対象の信号の受信側からのコーディングモード情報を受信して当該コーディングモード情報をコーディングモード識別モジュールに送信し、かつ受信側からのコードブックフィードバック情報を受信して当該コードブックフィードバック情報を前記プリコーディングモジュールに送信する通信モジュールと、
をさらに含み、
前記プリコーディングモジュールは、さらに、前記通信モジュールからのコードブックフィードバック情報を受信し、前記記憶モジュールに記憶されているコードブック集合から、当該コードブックフィードバック情報に対応するコードブックを読み取る、
ことを特徴とする請求項１２に記載の装置。
【請求項１４】
前記空間特性に基づくコーディングは、時空間符号に基づくコーディング、または空間周波数符号に基づくコーディング、または時空間周波数符号に基づくコーディングであることを特徴とする請求項１２または１３に記載の装置。
【請求項１５】
ＭＩＭＯ信号処理システムであって、
処理対象の信号に対して時空間符号、空間周波数符号または時空間周波数符号に基づくコーディングを行って、予め設定されたコードブック集合から前記処理対象の信号の受信側で選択されたコードブックを用いて、プリコーディング処理を行う送信側と、
前記コードブック集合からコードブックを選択して送信側に通知する受信側と、
を含むことを特徴とするシステム。
【請求項１６】
前記送信側は、
処理対象の信号に対して空間特性に基づくコーディングを行う空間コーディングモジュールと、
予め設定されたコードブック集合から前記処理対象の信号の受信側で選択されたコードブックを用いて、空間特性に基づくコーディング結果に対してプリコーディング処理を行うプリコーディングモジュールと、
を含むことを特徴とする請求項１５に記載のシステム。
【請求項１７】
前記送信側は、
処理対象の信号の受信側からのコーディングモード情報を受信し、コーディングモードを決定し、決定されたコーディングモードがコードブックに基づくプリコーディングである場合、前記処理対象の信号に対してプリコーディングを行うことをプリコーディングモジュールに指示し、決定されたコーディングモードが空間特性に基づくコーディングおよびコードブックに基づくプリコーディングである場合、空間特性に基づくコーディングの実行を開始することを空間コーディングモジュールに指示するコーディングモード識別モジュールと、
コーディングモード識別モジュールの指示で、処理対象の信号に対して空間特性に基づくコーディングを行う空間コーディングモジュールと、
予め設定されたコードブック集合から前記処理対象の信号の受信側で選択されたコードブックを用いて、空間特性に基づくコーディング結果に対してプリコーディングを行い、または、コーディングモード識別モジュールの指示で、予め設定されたコードブック集合から前記処理対象の信号の受信側で選択されたコードブックを用いて、前記処理対象の信号に対してプリコーディングを行うプリコーディングモジュールと、
を含むことを特徴とする請求項１５に記載のシステム。
【請求項１８】
前記受信側は、
予め設定された前記受信側の移動速度状態とコーディングモードとの対応関係を記憶する記憶モジュールと、
前記受信側の移動速度に対して測定を行う移動速度測定モジュールと、
前記処理対象の信号の受信側の移動速度状態とコーディングモードとの対応関係を記憶モジュールから読み取り、測定結果と読み取られた対応関係とに基づいてコーディングモードを決定し、決定されたコーディングモード情報を通信モジュールに送信するコーディングモード決定モジュールと、
前記コーディングモード決定モジュールで決定されたコーディングモード情報を前記送信側に送信する通信モジュールと、
を含むことを特徴とする請求項１７に記載のシステム。
【請求項１９】
前記受信側は、
現在のチャネル状態に対して測定を行って、チャネル状態測定結果をコードブック選択モジュールに送信するチャネル状態測定モジュールと、
受信されたチャネル状態測定結果に基づいて、測定されたチャネル状態に適合するコードブックを選択するコードブック選択モジュールと、
をさらに含み、
前記通信モジュールは、さらに、コードブック選択モジュールで選択されたコードブックに対応するコードブックフィードバック情報を送信側に送信する、
ことを特徴とする請求項１５〜１８のいずれか１項に記載のシステム。
【発明の詳細な説明】
【技術分野】
【０００１】
本発明は多入力多出力（ＭＩＭＯ：Ｍｕｌｔｉｐｌｅ  Ｉｎｐｕｔ  ａｎｄ  Ｍｕｌｔｉｐｌｅ  Ｏｕｔｐｕｔ）技術に関し、特に、ＭＩＭＯ信号処理方法、装置およびシステムに関する。
【背景技術】
【０００２】
将来の移動通信は、伝送レート、性能およびシステム容量などにおいて無線通信システムに対する要求がさらに高まる。ＭＩＭＯシステムでは、送信側および受信側ともマルチアンテナ構成を採用することで、システム容量、データ伝送の信頼性、および周波数利用効率が倍的に向上でき、高い伝送レートおよび大きなシステム容量の要求が満たされる。これにより、空間ダイバーシティ利得または多重化利得を充分に利用して、通信システムの性能を向上させることができる。従って、ＭＩＭＯシステムに関連する技術、即ちＭＩＭＯ技術は、既に現在の移動通信分野の研究の焦点の１つになっている。
【０００３】
ＭＩＭＯシステムにおいて、時空間符号（ＳＴＣ：Ｓｐａｃｅ‐Ｔｉｍｅ  Ｃｏｄｅ）がよくある信号処理方式である。時空間符号のポイントは、異なる時点に、異なるアンテナで、複数の信号を送信し、異なるアンテナおよび異なる時点でのシンボルに対して時空間コーディングを行うことによって、システム性能の向上を得ることである。図１は従来の時空間符号に基づくＭＩＭＯ信号処理プロセスを示す図である。図１を参照すると、送信側は、まず、処理対象の信号に対して変調処理を行い、次に、変調後の処理対象の信号に対して時空間符号に基づくコーディングを行って、即ち、処理対象の信号内の各シンボルを、用いられた時空間符号の方式で再構成して、コーディング後の信号を得る。図１の処理を完成した後、送信側は、コーディング後の信号を複数の送信アンテナに割り当てて、送信側と受信側との間のチャネルを介して伝送する。受信側は、送信側からの信号を受信した後、線形ゼロフォーシング検出器または線形最小平均二乗誤差検出器を用いて、受信された信号を処理して、送信側のコーディング前の処理対象の信号の推定信号を得る。上記のＭＩＭＯ信号処理は、時空間符号によってダイバーシティ利得および／または多重化利得を得ることができ、さらにＭＩＭＯシステム性能を向上させることができる。しかし、伝送キャリアであるチャネルは、信号伝送の間に、送信側からのコーディング後の信号に比較的に大きな影響を与えるが、時空間符号に基づくＭＩＭＯ信号処理の間には、チャネル状態情報（ＣＳＩ：Ｃｈａｎｎｅｌ  Ｓｔａｔｅ  Ｉｎｆｏｒｍａｔｉｏｎ）が考慮されておらず、ビット誤り率（ＢＥＲ：Ｂｉｔ  Ｅｒｒｏｒ  Ｒａｔｅ）が比較的に高いため、システム性能の劣化を招く。
【発明の概要】
【発明が解決しようとする課題】
【０００４】
このような状況に対して、現在、コードブックに基づくビーム形成処理方法が提案された。少なくとも１つのコードブックを含むコードブック集合を予め設定し、受信側は、チャネル測定結果に基づいてコードブック集合から適切なコードワードを選択し、選択されたコードワード情報を送信側に送信し、送信側は、受信側で選択されたコードブックを用いて、変調後の処理対象の信号に対してコーディングを行って、各送信アンテナに割り当てて送信する。このようなコードブックに基づくビーム形成処理方法は、ビット誤り率性能または容量性能をある程度で向上させることができるが、コードブックの選択が準固定（ｑｕａｓｉ‐ｆｉｘｅｄ）チャネルを基礎とする結果であり、低速移動以外の環境において、チャネル状態の変化が比較的に速いため、受信側で選択されたコードブックは現在のチャネル状態を反映できず、ＭＩＭＯシステム性能の劣化を招く。
【課題を解決するための手段】
【０００５】
本発明は、各種の移動速度の環境でもＭＩＭＯシステム性能を保証できるＭＩＭＯ信号処理方法を提供している。
【０００６】
本発明のＭＩＭＯ信号処理方法は、少なくとも１つのコードブックを含むコードブック集合を予め設定し、処理対象の信号に対して空間特性に基づくコーディングを行って、前記コードブック集合から前記処理対象の信号の受信側で選択されたコードブックを用いて、プリコーディング処理を行う、ことを含む。
【０００７】
ここで、前記少なくとも１つのコードブックを含むコードブック集合を予め設定することは、予め設定されたコードブックフィードバックビット数（１以上の整数）に基づいて、前記コードブック集合を設定する、ことを含む。
【０００８】
ここで、前記処理対象の信号に対して空間特性に基づくコーディングを行う前に、前記受信側は、自身の移動速度に対して測定を行って、測定結果に基づいてコーディングモードを決定し、決定されたコーディングモード情報を送信側に送信し、送信側は、受信されたコーディングモードがコードブックに基づくプリコーディングであるか、それとも空間特性に基づくコーディングおよびコードブックに基づくプリコーディングであるかを判断し、コードブックに基づくプリコーディングである場合、前記コードブック集合から前記処理対象の信号の受信側で選択されたコードブックを用いて、プリコーディング処理を行うことを直接に実行し、空間特性に基づくコーディングおよびコードブックに基づくプリコーディングである場合、前記処理対象の信号に対して空間特性に基づくコーディングを行って、前記コードブック集合から前記処理対象の信号の受信側で選択されたコードブックを用いて、プリコーディング処理を行うことを実行する、ことをさらに含む。
【０００９】
好ましくは、当該方法は、前記処理対象の信号の受信側の移動速度状態とコーディングモードとの対応関係を予め設定することをさらに含み、前記測定結果に基づいてコーディングモードを決定することは、前記測定結果に基づいて前記受信側の移動速度状態を決定し、前記対応関係から、決定された移動速度状態に対応するコーディングモードを検索することを含む。
【００１０】
ここで、前記処理対象の信号の受信側の移動速度状態とコーディングモードとの対応関係は、前記受信側が低速移動状態にあることが、コードブックに基づくプリコーディングに対応し、前記受信側が中速移動状態または高速移動状態にあることが、空間特性に基づくコーディングおよびコードブックに基づくプリコーディングに対応する、ことを含む。
【００１１】
ここで、前記プリコーディングが前記空間特性に基づくコーディングの後に実行される場合、前記コードブック集合から前記処理対象の信号の受信側で選択されたコードブックを用いて、プリコーディング処理を行うことは、前記コードブック集合から受信側で選択されたコードブックと、空間特性に基づくコーディング結果とを乗算する、ことを含む。
【００１２】
ここで、前記コードブック集合から前記処理対象の信号の受信側で選択されたコードブックを用いて、プリコーディング処理を行うことを直接に実行することは、前記コードブック集合から受信側で選択されたコードブックと前記処理対象の信号とを乗算する、ことを含む。
【００１３】
好ましくは、前記コードブック集合から前記処理対象の信号の受信側で選択されたコードブックを用いて、プリコーディング処理を行う前に、最大の最小固有値、最大の最小信号対雑音比、または最大チャネル容量の原則に従って、チャネル状態測定結果に基づいて、前記コードブック集合から前記受信側で選択されたコードブックに対応するコードブックフィードバック情報を受信し、前記コードブックフィードバック情報に対応するコードブックを決定する、ことをさらに含む。
【００１４】
ここで、前記空間特性に基づくコーディングは、時空間符号に基づくコーディング、または空間周波数符号に基づくコーディング、または時空間周波数符号に基づくコーディングである。
【００１５】
本発明は、各種の移動速度の環境でもＭＩＭＯシステム性能を保証できるＭＩＭＯ信号処理装置を提供している。
【００１６】
本発明のＭＩＭＯ信号処理装置は、処理対象の信号に対して空間特性に基づくコーディングを行う空間コーディングモジュールと、予め設定されたコードブック集合から前記処理対象の信号の受信側で選択されたコードブックを用いて、空間特性に基づくコーディング結果に対してプリコーディング処理を行うプリコーディングモジュールと、を含む。
【００１７】
ここで、当該装置は、予め設定されたコードブックフィードバックビット数（１以上の整数）に基づいて設定されたコードブック集合を記憶する記憶モジュールと、受信側からのコードブックフィードバック情報を受信し、受信されたコードブックフィードバック情報をプリコーディングモジュールに送信する通信モジュールと、をさらに含み、前記プリコーディングモジュールは、さらに、前記通信モジュールからのコードブックフィードバック情報を受信し、前記記憶モジュールに記憶されているコードブック集合から、当該コードブックフィードバック情報に対応するコードブックを読み取る。
【００１８】
また、本発明は、各種の移動速度の環境でもＭＩＭＯシステム性能を保証できる別のＭＩＭＯ信号処理装置を提供している。
【００１９】
本発明のＭＩＭＯ信号処理装置は、処理対象の信号の受信側からのコーディングモード情報を受信し、コーディングモードを決定し、決定されたコーディングモードがコードブックに基づくプリコーディングである場合、前記処理対象の信号に対してプリコーディングを行うことをプリコーディングモジュールに指示し、決定されたコーディングモードが空間特性に基づくコーディングおよびコードブックに基づくプリコーディングである場合、空間特性に基づくコーディングの実行を開始することを空間コーディングモジュールに指示するコーディングモード識別モジュールと、コーディングモード識別モジュールの指示で、処理対象の信号に対して空間特性に基づくコーディングを行う空間コーディングモジュールと、
【００２０】
予め設定されたコードブック集合から前記処理対象の信号の受信側で選択されたコードブックを用いて、空間コーディング結果に対してプリコーディングを行い、または、コーディングモード識別モジュールの指示で、予め設定されたコードブック集合から前記処理対象の信号の受信側で選択されたコードブックを用いて、前記処理対象の信号に対してプリコーディングを行うプリコーディングモジュールと、を含む。
【００２１】
好ましくは、当該装置は、予め設定されたコードブックフィードバックビット数（１以上の整数）に基づいて設定されたコードブック集合を記憶する記憶モジュールと、処理対象の信号の受信側からのコーディングモード情報を受信して当該コーディングモード情報をコーディングモード識別モジュールに送信し、かつ受信側からのコードブックフィードバック情報を受信して当該コードブックフィードバック情報を前記プリコーディングモジュールに送信する通信モジュールと、をさらに含み、前記プリコーディングモジュールは、さらに、前記通信モジュールからのコードブックフィードバック情報を受信し、前記記憶モジュールに記憶されているコードブック集合から、当該コードブックフィードバック情報に対応するコードブックを読み取る。
【００２２】
ここで、前記空間特性に基づくコーディングは、時空間符号に基づくコーディング、または空間周波数符号に基づくコーディング、または時空間周波数符号に基づくコーディングである。
【００２３】
また、本発明は、各種の移動速度の環境でもＭＩＭＯシステム性能を保証できるＭＩＭＯ信号処理システムを提供している。
【００２４】
本発明のＭＩＭＯ信号処理システムは、処理対象の信号に対して時空間符号、空間周波数符号または時空間周波数符号に基づくコーディングを行って、予め設定されたコードブック集合から前記処理対象の信号の受信側で選択されたコードブックを用いて、プリコーディング処理を行う送信側と、前記コードブック集合からコードブックを選択して送信側に通知する受信側と、を含む。
【００２５】
１つの実施例では、前記送信側は、処理対象の信号に対して空間特性に基づくコーディングを行う空間コーディングモジュールと、予め設定されたコードブック集合から前記処理対象の信号の受信側で選択されたコードブックを用いて、空間特性に基づくコーディング結果に対してプリコーディング処理を行うプリコーディングモジュールと、を含む。
【００２６】
別の実施例では、前記送信側は、処理対象の信号の受信側からのコーディングモード情報を受信し、コーディングモードを決定し、決定されたコーディングモードがコードブックに基づくプリコーディングである場合、前記処理対象の信号に対してプリコーディングを行うことをプリコーディングモジュールに指示し、決定されたコーディングモードが空間特性に基づくコーディングおよびコードブックに基づくプリコーディングである場合、空間特性に基づくコーディングの実行を開始することを空間コーディングモジュールに指示するコーディングモード識別モジュールと、コーディングモード識別モジュールの指示で、処理対象の信号に対して空間特性に基づくコーディングを行う空間コーディングモジュールと、予め設定されたコードブック集合から前記処理対象の信号の受信側で選択されたコードブックを用いて、空間特性に基づくコーディング結果に対してプリコーディングを行い、または、コーディングモード識別モジュールの指示で、予め設定されたコードブック集合から前記処理対象の信号の受信側で選択されたコードブックを用いて、前記処理対象の信号に対してプリコーディングを行うプリコーディングモジュールと、を含む。
【００２７】
好ましくは、前記受信側は、予め設定された前記受信側の移動速度状態とコーディングモードとの対応関係を記憶する記憶モジュールと、前記受信側の移動速度に対して測定を行う移動速度測定モジュールと、前記処理対象の信号の受信側の移動速度状態とコーディングモードとの対応関係を記憶モジュールから読み取り、測定結果と読み取られた対応関係とに基づいてコーディングモードを決定し、決定されたコーディングモード情報を通信モジュールに送信するコーディングモード決定モジュールと、前記コーディングモード決定モジュールで決定されたコーディングモード情報を前記送信側に送信する通信モジュールと、を含む。
【００２８】
好ましくは、前記受信側は、現在のチャネル状態に対して測定を行って、チャネル状態測定結果をコードブック選択モジュールに送信するチャネル状態測定モジュールと、受信されたチャネル状態測定結果に基づいて、測定されたチャネル状態に適合するコードブックを選択するコードブック選択モジュールと、をさらに含み、前記通信モジュールは、さらに、コードブック選択モジュールで選択されたコードブックに対応するコードブックフィードバック情報を送信側に送信する。
【発明の効果】
【００２９】
上記の解決手段からわかるように、本発明では、空間特性に基づくコーディングとコードブックに基づくプリコーディングとを組合せて、処理対象の信号に対して二重処理を行う。コードブック集合内のコードブックがチャネル状態を反映することができるため、プリコーディング処理は実際に、処理対象の信号の受信側で選択されたコードブックを用いて、比較的に良い現在の等価チャネルを選択することで、ＭＩＭＯシステム性能を向上させるものである。それとともに、空間特性に基づくコーディングによって、ダイバーシティ利得または多重化利得を得ることができるため、本発明は、信号伝送の品質を効果的に向上させ、ＢＥＲを低減することができる。なお、受信側が高速移動状態にあるとき、チャネル状態の変化が比較的に速いが、時空間符号に基づくコーディングによる性能補足で、本発明は、高速の場合でもシステム性能を保証することができる。従って、上記のＭＩＭＯ信号処理方式は、各種の移動速度の環境でもＭＩＭＯシステム性能を保証することができる。
【図面の簡単な説明】
【００３０】
【図１】従来の時空間符号に基づくＭＩＭＯ信号処理プロセスを示す図である。
【図２】本発明に係るＭＩＭＯ信号処理方法の例示的なフローチャートである。
【図３】本発明に係るＭＩＭＯ信号処理システムの構成を示す図である。
【図４】本発明の実施例１に係るＭＩＭＯ信号処理方法のフローチャートである。
【図５】本発明の実施例１に係るＭＩＭＯ信号処理装置である送信側の構成を示す図である。
【図６】本発明の実施例１に係る受信側の構成を示す図である。
【図７】本発明の実施例１に係るＭＩＭＯ信号処理方法と、時空間符号に基づくコーディングおよびコードブックに基づくプリコーディングのそれぞれとの間の性能比較のシミュレーション図である。
【図８】本発明の実施例２に係るＭＩＭＯ信号処理方法のフローチャートである。
【図９】本発明の実施例２に係るＭＩＭＯ信号処理装置の構成を示す図である。
【図１０】本発明の実施例２に係る受信側の構成を示す図である。
【図１１】異なる移動速度状態で、本実施例に係るＭＩＭＯ信号処理方法と、コードブックに基づくプリコーディングとの間の性能比較のシミュレーション図である。
【発明を実施するための形態】
【００３１】
本発明の目的、解決手段をさらに明確にするために、以下、図面を参照して実施例を挙げながら、本発明をさらに詳しく説明する。
【００３２】
本発明では、ＭＩＭＯ信号処理を行うとき、まず、処理対象の信号に対して時空間符号に基づくコーディングを行い、次に、受信側で予め選択されたコードブックを用いてプリコーディング処理を行う。
【００３３】
図２は本発明に係るＭＩＭＯ信号処理方法の例示的なフローチャートである。図２を参照すると、当該方法は以下のステップを含む。
【００３４】
ステップ２０１で、少なくとも１つのコードブックを含むコードブック集合を予め設定する。
【００３５】
ステップ２０２で、処理対象の信号に対して空間特性に基づくコーディングを行って、前記コードブック集合から前記処理対象の信号の受信側で選択されたコードブックを用いて、プリコーディング処理を行う。
【００３６】
図３は本発明に係るＭＩＭＯ信号処理システムの構成を示す。図３を参照すると、当該システムは、送信側と受信側とを含む。ここで、送信側は、処理対象の信号に対して空間特性に基づくコーディングを行って、予め設定されたコードブック集合から前記処理対象の信号の受信側で選択されたコードブックを用いて、プリコーディング処理を行う。受信側は、前記コードブック集合からコードブックを選択して送信側に通知する。ここでの送信側は基地局のようなネットワーク機器であってよく、受信側は移動端末のような端末機器であってよい。
【００３７】
上記の説明からわかるように、本発明では、空間特性に基づくコーディングとコードブックに基づくプリコーディングとを組合せて、処理対象の信号に対して二重処理を行う。コードブック集合内のコードブックがチャネル状態を反映することができるため、プリコーディング処理は実際に、処理対象の信号の受信側で選択されたコードブックを用いて、比較的に良い現在の等価チャネルを選択することで、ＭＩＭＯシステム性能を向上させるものである。それとともに、空間特性に基づくコーディングによって、ダイバーシティ利得または多重化利得を得ることができるため、本発明は、信号伝送の品質を効果的に向上させ、ＢＥＲを低減することができる。なお、受信側が高速移動状態にあるとき、チャネル状態の変化が比較的に速いが、時空間符号に基づくコーディングによる性能補足で、本発明は、高速の場合でもシステム性能を保証することができる。従って、上記のＭＩＭＯ信号処理方式は、各種の移動速度の環境でもＭＩＭＯシステム性能を保証することができる。
【００３８】
なお、本発明では、処理対象の信号の受信側の移動速度に基づいてモード切替を行うようにしてもよい。即ち、低速移動状態では、受信側で選択されたコードブックを用いて、処理対象の信号に対してプリコーディング処理を行い、中速移動状態または高速移動状態では、処理対象の信号に対して空間特性に基づくコーディングを行ってから、プリコーディング処理を行う。このように、各種の移動速度状態での比較的に良いＢＥＲ性能を得、ＭＩＭＯシステム性能を保証できるだけでなく、低速移動状態で時空間符号に基づくコーディングが省略されるため、計算複雑度を比較的に低くすることができる。
【００３９】
本発明では、いかなるタイプの時空間符号、空間周波数符号、および時空間周波数符号も使用することができ、コードブックフィードバックビット数に基づいてコードブック集合内のコードブック数を予め設定するようにしてもよい。
【００４０】
以下、２つの実施例によって本発明の解決手段を説明する。
【００４１】
（実施例１）
本実施例では、送信側は、処理対象の信号に対して空間特性に基づくコーディングを行う上に、受信側の協力でコーディング処理後の処理対象の信号に対してコードブックに基づくプリコーディングを行う。以下、時空間符号を例として説明する。
【００４２】
図４は本実施例に係るＭＩＭＯ信号処理方法のフローチャートである。図４を参照すると、当該方法は以下のステップを含む。
【００４３】
ステップ４０１で、予め設定されたコードブックフィードバックビット数に基づいて、コードブック集合を設定する。
【００４４】
本実施例では、ＭＩＭＯシステムの伝送性能要求に基づいて、例えば、１ビット（ｂｉｔ）、２ビットなどのようなコードブックフィードバックビット数（１以上の整数）を設定するようにしてもよい。コードブック集合内のコードブック数がＭであり、コードブックフィードバックビット数がｎであることを仮定すると、Ｍ＝２ｎになる。ここからわかるように、コードブックフィードバックビット数が大きいほど、コードブック集合内のコードブック数も多くなり、チャネル状態を正確に反映するコードブックが受信側で検索された確率も大きくなる。
【００４５】
操作の便宜上、送信側と受信側とに同じコードブック集合が記憶され、当該コードブック集合内の各コードブックはいずれも行数と列数とが送信アンテナ数に等しい行列形式を用いる。そして、各コードブックはいずれも一意に識別できるコードブック番号を有する。
【００４６】
ステップ４０２で、処理対象の信号に対して時空間符号に基づくコーディング処理を行って、時空間符号のコーディング結果を得る。
【００４７】
本実施例では、送信側で使用される時空間符号のタイプを予め決定し、そして、本ステップでコーディング処理を行うとき、決定された時空間符号のタイプおよび送信アンテナ数に従って、処理対象の信号を再構成するようにしてもよい。これにより、時空間符号のコーディング結果内の各列のシンボルが、異なるアンテナで同時に送信され、即ち、時空間符号の列数が送信アンテナ数に等しい。ここでの処理対象の信号は、変調処理後のＭＩＭＯ信号であってよい。
【００４８】
仮に、変調処理後の信号が［ｓ１，ｓ２，ｓ３，ｓ４］であり、あわせて４本の送信アンテナが存在することを仮定する。予め決定された時空間符号のタイプが対角ＡＢＢＡ（Ｄｉａｇｏｎａｌ  ＡＢＢＡ）時空間符号である場合、時空間符号に基づくコーディング処理後の信号は
【数１】
2010158021.tif 000003
になり、ここで、（・）＊は括弧内の要素の共役をとることを表す。時空間符号のタイプが二重時空間送信ダイバーシティ（ＤＳＴＴＤ）時空間符号である場合、時空間符号に基づくコーディング処理後の信号は
【数２】
2010158021.tif 000004
になる。もちろん、本分野のほかのタイプの時空間符号、例えば、準直交時空間符号（ｑｕａｓｉ‐ｏｒｔｈｏｇｏｎａｌ  ｓｐａｃｅ‐ｔｉｍｅ  ｃｏｄｅ）、スレッド代数時空間符号（ｔｈｒｅａｄｅｄ  ａｌｇｅｂｒａｉｃ  ｓｐａｃｅ‐ｔｉｍｅ  ｃｏｄｅ）、線形分散符号（ｌｉｎｅａｒ  ｄｉｓｐｅｒｓｉｏｎ  ｃｏｄｅ）なども、本ステップに使用されるようにしてもよい。
【００４９】
なお、本ステップでは、時空間符号の代わりに、空間周波数符号または時空間周波数符号を用いて、空間特性に基づくコーディングを行うようにしてもよい。
【００５０】
ステップ４０３で、受信側からのコードブックフィードバック情報に基づいて、当該コードブックフィードバック情報に対応するコードブックを用いて、時空間符号のコーディング結果に対してプリコーディングを行う。
【００５１】
コードブックによってチャネル状態をなるべく正確に反映できるために、本実施例では、送信側でプリコーディングを行う前に、受信側は、チャネル状態の測定を行って、チャネル状態測定結果に基づいて、予め設定されたコードブック集合から、測定されたチャネル状態に適合するコードブックを選択する。ここでの選択原則は、最大の最小固有値、最大の最小信号対雑音比、最大チャネル容量などであってよい。例えば、コードブック選択原則が最大の最小信号対雑音比であることを仮定すると、受信側は、本ステップで、チャネル状態測定結果に基づいて、各コードブックに対応する最小信号対雑音比を算出して、最小信号対雑音比が最大となるコードブックを選択する。なお、受信側のチャネル状態測定およびコードブック選択と、上記ステップ４０２における時空間符号、空間周波数符号、または時空間周波数符号に基づくコーディング処理との間に、時間上での厳しい順序がない。
【００５２】
その後、受信側は、選択されたコードブックに対応するコードブック番号をコードブックフィードバック情報として送信側に送信する。送信側には受信側と同じコードブック集合が記憶されたため、受信側から伝送されたコードブックフィードバック情報内のコードブック番号に基づいて、受信側で選択されたコードブックをコードブック集合から検索することができる。その後、送信側は、選択されたコードブックと、時空間符号のコーディング結果、空間周波数符号のコーディング結果、または時空間周波数符号のコーディング結果とを乗算して、本実施例に係るＭＩＭＯ信号処理プロセスを完成する。
【００５３】
図５は本実施例に係るＭＩＭＯ信号処理装置である送信側の構成を示す。図５を参照すると、当該装置は、空間コーディングモジュールとプリコーディングモジュールとを含む。ここで、空間コーディングモジュールは、処理対象の信号に対して空間特性に基づくコーディング処理を行う。プリコーディングモジュールは、予め設定されたコードブック集合から前記処理対象の信号の受信側で選択されたコードブックを用いて、空間特性に基づくコーディング結果に対してプリコーディング処理を行う。さらに、当該ＭＩＭＯ信号処理装置は、記憶モジュールと通信モジュールとを含む。通信モジュールは、受信側からのコードブックフィードバック情報を受信し、受信されたコードブックフィードバック情報をプリコーディングモジュールに送信する。前記プリコーディングモジュールは、さらに、前記通信モジュールからのコードブックフィードバック情報を受信し、前記記憶モジュールに記憶されているコードブック集合から、当該コードブックフィードバック情報に対応するコードブックを読み取る。本実施例に係るＭＩＭＯ信号処理装置は、処理対象の信号を変調して空間コーディングモジュールに送信する変調モジュールを、さらに含むようにしてもよい。
【００５４】
図６は本実施例に係る受信側の構成を示す。図６を参照すると、当該受信側は、記憶モジュールと、コードブック選択モジュールと、通信モジュールと、チャネル状態測定モジュールと、を含む。ここで、記憶モジュールは、予め設定されたコードブックフィードバックビット数に基づいて設定されたコードブック集合を記憶する。チャネル状態測定モジュールは、現在のチャネル状態に対して測定を行って、チャネル状態測定結果をコードブック選択モジュールに送信する。コードブック選択モジュールは、記憶モジュールからコードブック集合を読み取り、受信されたチャネル状態測定結果に基づいて測定されたチャネル状態に適合するコードブックを選択する。通信モジュールは、コードブック選択モジュールで選択されたコードブックに対応するコードブックフィードバック情報を送信側に送信する。
【００５５】
図７は、本実施例に係るＭＩＭＯ信号処理方法と、時空間符号に基づくコーディング処理およびコードブックに基づくプリコーディングのそれぞれとの間の性能比較のシミュレーション図である。なお、今回のシミュレーションでは、最大の最小信号対雑音比の原則に基づいてコードブックを選択する。図７を参照すると、横軸はデシベル（ｄＢ）を単位とする信号対雑音比（Ｅｓ／Ｎ０）であり、縦軸はＢＥＲである。四角印の線は、ＤＳＴＴＤ時空間符号に基づくコーディング処理方式を表す。三角印の線は、コードブック集合に１つのコードブックが含まれる場合のコードブックに基づくプリコーディング方式を表す。五角星印の線は、コードブック集合に２つのコードブックが含まれる場合のコードブックに基づくプリコーディング方式を表す。丸印の線は、本実施例に係るＭＩＭＯ信号処理方法、即ち、ＤＳＴＴＤ時空間符号に基づくコーディング処理と、コードブック集合に１つのコードブックが含まれる場合のコードブックに基づくプリコーディングとを組合せた方式を表す。図７からわかるように、本実施例に係るＭＩＭＯ信号処理方法に対応するＢＥＲは、従来の単純な時空間符号に基づくコーディング処理方式、および単純なコードブックに基づくプリコーディング方式より明らかに低い。そして、Ｅｓ／Ｎ０が大きいほど、ＢＥＲの低下程度が明らかになり、即ち、ＭＩＭＯシステム性能の改善程度が大きくなる。
【００５６】
上記の説明からわかるように、本実施例では、処理対象の信号に対して空間特性に基づくコーディングを行うことによって、ダイバーシティ利得または多重化利得を得る。そして、受信側で選択されたコードブックＷによって、チャネル行列をＨからＨＷに変更する。低速移動状態では、空間特性に基づくコーディングによるダイバーシティ利得または多重化利得、およびコードブックによるチャネル影響の低減によって、送信側と受信側との間のＭＩＭＯ信号伝送の正確性を確実に保証することができるため、比較的に低いＢＥＲを得、単純な空間特性に基づくコーディングに比べて、より高いシステム性能を有する。高速移動状態では、チャネル影響の低減に対するコードブックの役割が有限であるが、空間特性に基づくコーディングによるダイバーシティ利得または多重化利得が、コードブックを用いたプリコーディング方式より優れるため、本実施例では比較的に低いＢＥＲを得ることができ、より高いシステム性能を得ることができる。ここからわかるように、本実施例に係る解決手段は、各種の移動速度の環境でもＭＩＭＯシステム性能を保証することができる。
【００５７】
（実施例２）
本実施例では、受信側は、自身の移動速度に対して測定を行って、移動速度測定結果に基づいて信号処理モードを決定して、送信側に通知する。送信側は、受信側で決定された信号処理モードに従って、低速移動状態でコードブックに基づくプリコーディングを行い、または、中速移動状態および高速移動状態で空間特性に基づくコーディングおよびコードブックに基づくプリコーディングを行う。
【００５８】
以下、時空間符号を例として説明する。
【００５９】
図８は本実施例に係るＭＩＭＯ信号処理方法のフローチャートである。図８を参照すると、当該方法は以下のステップを含む。
【００６０】
ステップ８０１で、受信側の移動速度状態とコーディングモードとの対応関係を予め設定し、予め設定されたコードブックフィードバックビット数に基づいて、コードブック集合を設定する。
【００６１】
本実施例では、受信側の移動速度とコーディングモードとの対応関係は、例えば、低速移動状態で、送信側は処理対象の信号に対してコードブックに基づくプリコーディングを行い、中速移動状態および高速移動状態で、送信側は処理対象の信号に対して時空間符号に基づくコーディング処理およびコードブックに基づくプリコーディングを行うことであってよい。
【００６２】
本ステップでは、実施例１のステップ４０１と同じ方式でコードブック集合を設定する。
【００６３】
ステップ８０２で、受信側は、自身の移動速度に対して測定を行って、測定結果と、受信側の移動速度状態とコーディングモードとの対応関係とに基づいてコーディングモードを決定し、決定されたコーディングモード情報を送信側に送信する。
【００６４】
本ステップでは、受信側は、まず、自身の移動速度に対して測定を行って、測定結果に基づいて、受信側が低速移動状態にあるか、中速移動状態にあるか、それとも高速移動状態にあるかを決定する。その後、受信側は、決定された移動速度状態に基づいて、上記対応関係から対応のコーディングモードを検索してから、送信側で当該コーディングモードに基づいて信号処理を実行できるように、コーディングモード情報を送信側に送信する。
【００６５】
本実施例では、コーディングモードに対して番号を付けるようにしてもよい。この場合、受信側は、コーディングモードを決定した後、決定されたコーディングモードに対応する番号を送信側に送信し、送信側は、受信されたコーディングモード番号に基づいて具体的なコーディングモードを得る。
【００６６】
ステップ８０３で、送信側は、受信されたコーディングモードがコードブックに基づくプリコーディングであるか、それとも時空間符号に基づくコーディング処理およびコードブックに基づくプリコーディングであるかを判断し、コードブックに基づくプリコーディングである場合、ステップ８０５に進み、時空間符号に基づくコーディング処理およびコードブックに基づくプリコーディングである場合、ステップ８０４に進む。
【００６７】
ステップ８０４で、送信側は、処理対象の信号に対して時空間符号に基づくコーディング処理を行って、時空間符号のコーディング結果を得る。
【００６８】
本ステップの処理は、実施例１のステップ４０２の処理と同じである。
【００６９】
ステップ８０５で、送信側は、受信側からのコードブックフィードバック情報に基づいて、当該コードブックフィードバック情報に対応するコードブックを用いて、プリコーディングを行う。
【００７０】
受信側で決定されたコーディングモードがコードブックに基づくプリコーディングである場合、本ステップのプリコーディング対象は、時空間符号に基づくコーディング処理が行われていない処理対象の信号である。受信側で決定されたコーディングモードが時空間符号に基づくコーディング処理およびコードブックに基づくプリコーディングである場合、本ステップのプリコーディング対象は、上記ステップ８０４の時空間符号のコーディング結果である。
【００７１】
プリコーディング対象を考慮しない場合で、本ステップのプリコーディング処理は、実施例１のステップ４０３のプリコーディング処理と同じである。
【００７２】
ここまで、本実施例に係るＭＩＭＯ信号処理プロセスを終了する。
【００７３】
本実施例では、上記の時空間符号の代わりに、空間周波数符号または時空間周波数符号を用いて、空間特性に基づくコーディングを行うようにしてもよい。
【００７４】
図９は本実施例に係るＭＩＭＯ信号処理装置の構成を示す。図９を参照すると、当該装置は、記憶モジュールと、コーディングモード識別モジュールと、空間コーディングモジュールと、プリコーディングモジュールと、通信モジュールと、を含む。言い換えれば、本実施例では、図５に加えて、コーディングモード識別モジュールが追加される。これらモジュールの中で、コーディングモード識別モジュールは、処理対象の信号の受信側からのコーディングモード情報を受信し、コーディングモードを決定し、決定されたコーディングモードがコードブックに基づくプリコーディングである場合、処理対象の信号に対してプリコーディングを行うことをプリコーディングモジュールに指示し、決定されたコーディングモードが空間特性に基づくコーディング処理およびコードブックに基づくプリコーディングである場合、空間特性に基づくコーディング処理の実行を開始することを空間コーディングモジュールに指示する。空間コーディングモジュールは、コーディングモード識別モジュールの指示で、処理対象の信号に対して空間特性に基づくコーディング処理を行う。プリコーディングモジュールは、予め設定されたコードブック集合から処理対象の信号の受信側で選択されたコードブックを用いて、空間特性に基づくコーディング結果に対してプリコーディングを行い、または、コーディングモード識別モジュールの指示で、予め設定されたコードブック集合から前記処理対象の信号の受信側で選択されたコードブックを用いて、前記処理対象の信号に対してプリコーディングを行う。記憶モジュールは、予め設定されたコードブックフィードバックビット数に基づいて設定されたコードブック集合を記憶する。通信モジュールは、受信側からのコーディングモード情報を受信して当該コーディングモード情報をコーディングモード識別モジュールに送信し、かつ受信側からのコードブックフィードバック情報を受信して、受信されたコードブックフィードバック情報をプリコーディングモジュールに送信する。さらに、プリコーディングモジュールは、前記通信モジュールからのコードブックフィードバック情報を受信し、前記記憶モジュールに記憶されているコードブック集合から、当該コードブックフィードバック情報に対応するコードブックを読み取る。もちろん、本実施例に係るＭＩＭＯ信号処理装置は、コーディングモード識別モジュールの指示で、処理対象の信号を変調して、空間コーディングモジュールまたはプリコーディングモジュールに送信する変調モジュールをさらに含むようにしてもよい。
【００７５】
図１０は本実施例に係る受信側の構成を示す。図１０を参照すると、当該受信側は、記憶モジュールと、移動速度測定モジュールと、コーディングモード決定モジュールと、チャネル状態測定モジュールと、コードブック選択モジュールと、通信モジュールと、を含む。即ち、本実施例の受信側は、図６に加えて、移動速度測定モジュールおよびコーディングモード決定モジュールが追加される。本実施例の記憶モジュールは、予め設定されたコードブックフィードバックビット数に基づいて設定されたコードブック集合を記憶し、かつ予め設定された受信側の移動速度状態とコーディングモードとの対応関係を記憶する。移動速度測定モジュールは、本受信側の移動速度に対して測定を行う。コーディングモード決定モジュールは、受信側の移動速度状態とコーディングモードとの対応関係を記憶モジュールから読み取り、測定結果と、受信側の移動速度状態とコーディングモードとの対応関係とに基づいてコーディングモードを決定し、決定されたコーディングモード情報を通信モジュールに送信する。チャネル状態測定モジュールおよびコードブック選択モジュールは、図６と同じである。通信モジュールは、コードブック選択モジュールで選択されたコードブックに対応するコードブックフィードバック情報を送信側に送信する以外に、コーディングモード決定モジュールで決定されたコーディングモード情報も送信側に送信する。
【００７６】
図１１は、異なる移動速度状態で、コードブックに基づくプリコーディングと、空間特性に基づくコーディングおよびコードブックに基づくプリコーディングを組合せたＭＩＭＯ信号処理方法との間の性能比較のシミュレーション図である。図１１を参照すると、横軸はｄＢを単位とするＳＮＲであり、縦軸はＢＥＲである。ここで、星印の実線は、５キロメートル／時間の移動速度で、コードブックフィードバックビット数が２であるコードブックに基づくプリコーディング処理方式を表す。四角印の実線は、５キロメートル／時間の移動速度で、コードブックフィードバックビット数が１である空間特性に基づくコーディングとコードブックに基づくプリコーディングとを組合せたＭＩＭＯ信号処理方法を表す。丸印の実線は、３０キロメートル／時間の移動速度で、コードブックフィードバックビット数が１である空間特性に基づくコーディングとコードブックに基づくプリコーディングとを組合せたＭＩＭＯ信号処理方法を表す。菱形の実線は、３０キロメートル／時間の移動速度で、コードブックフィードバックビット数が２であるコードブックに基づくプリコーディング処理方式を表す。三角印の実線は、１２０キロメートル／時間の移動速度で、コードブックフィードバックビット数が１である空間特性に基づくコーディングとコードブックに基づくプリコーディングとを組合せたＭＩＭＯ信号処理方法を表す。四角印の点線は、５キロメートル／時間の移動速度で、コードブックフィードバックビット数が１であるコードブックに基づくプリコーディング処理方式を表す。丸印の点線は、３０キロメートル／時間の移動速度で、コードブックフィードバックビット数が１であるコードブックに基づくプリコーディング処理方式を表す。五角星印の実線は、１２０キロメートル／時間の移動速度で、コードブックフィードバックビット数が２であるコードブックに基づくプリコーディング処理方式を表す。三角印の点線は、１２０キロメートル／時間の移動速度で、コードブックフィードバックビット数が１であるコードブックに基づくプリコーディング処理方式を表す。図１１のシミュレーションからわかるように、移動速度および信号対雑音比が同じである場合、実施例２の方法によれば、コードブックに基づくプリコーディング方式と同じＢＥＲ、またはより優れるＢＥＲを得ることができる。
【００７７】
本実施例では、受信側の移動速度状態によって送信側のコーディング方式を区別する。低速移動状態では、チャネル状態の変化が比較的に遅いため、チャネルによる信号への影響をコードブックだけで改善することができる。このような状態で、時空間符号に基づくコーディング処理を省略するようにしてもよい。中速移動状態および高速移動状態では、コードブックがチャネルフィードバック遅延に敏感であることを考慮すると、システム性能の要求を完全に満たすことができないため、時空間符号に基づくコーディング処理を用いて、伝送品質をさらに改善することにより、ＭＩＭＯシステム性能を保証する。ここからわかるように、本実施例によれば、各種の移動速度状態でもＭＩＭＯシステム性能を保証できるだけでなく、コーディングモードを適切に選択することができる。時空間符号に基づくコーディング処理を省略する場合で、送信側の操作を簡略化し、ＭＩＭＯ信号処理の複雑度を低減することができる。
【００７８】
上記２つの実施例は時空間符号のみを例として説明しているが、本分野の各種類の空間周波数符号および時空間周波数符号で、上記の時空間符号を替えることができる。
【００７９】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【図１】
2010158021.tif 000005
【図２】
2010158021.tif 000006
【図３】
2010158021.tif 000007
【図４】
2010158021.tif 000008
【図５】
2010158021.tif 000009
【図６】
2010158021.tif 000010
【図７】
2010158021.tif 000011
【図８】
2010158021.tif 000012
【図９】
2010158021.tif 000013
【図１０】
2010158021.tif 000014
【図１１】
2010158021.tif 000015